(57)【特許請求の範囲】
【請求項１】
複数の通信相手先に画像データを並列に送信することが可能な画像通信装置において、
１画面内に複数の通信相手先の情報を表示する表示手段と、
前記表示手段により表示された複数の通信相手先の夫々に対し、該通信相手先の夫々に対する送信対象の画像データの縮小サイズの画像を割り当てて表示する様に制御する制御手段とを有することを特徴とする画像通信装置。
【請求項２】
前記制御手段により制御される縮小サイズの画像の表示は、通信相手先の情報の夫々の領域に接する様に行われることを特徴とする請求項１に記載の画像通信装置。
【請求項３】
前記制御手段により制御される縮小サイズの画像の内容は、通信相手先に画像データを送信している途中で切り換わることを特徴とする請求項１に記載の画像通信装置。
【請求項４】
前記制御手段により制御される縮小サイズの画像の内容は、送信される画像データのページが変化したことに応じて切り換わることを特徴とする請求項１に記載の画像通信装置。
【請求項５】
複数の通信相手先に画像データを並列に送信することが可能な画像通信方法において、
１画面内に複数の通信相手先の情報を表示する表示ステップと、
前記表示ステップで表示された複数の通信相手先の情報に夫々に対し、該通信相手先の夫々に対する送信対象の画像データの縮小サイズの画像を割り当てて表示する様に制御する制御ステップとを有することを特徴とする画像通信方法。
【請求項６】
通信相手先に画像データを送信する画像通信装置において、
前記通信相手先に対して送信が行われた送信済の画像データの内容を、該通信相手先に対応する所定の領域内にページ単位で表示する表示手段と、
所定の指定操作に基づいて、前記表示手段で表示された送信済の画像データの内容を切り換える切り換え手段とを有することを特徴とする画像通信装置。
【請求項７】
前記表示手段により表示される画像データの内容は、送信される実際の画像データの縮小画像であることを特徴とした請求項６に記載の画像通信装置。
【請求項８】
前記表示手段による表示は、複数回の送信に対応する夫々の送信済の画像データを同時に１画面上に行われることが出来ることを特徴とする請求項６に記載の画像通信装置。
【請求項９】
前記切り換え手段による画像データの内容の切り換えは、通信される１グループのページ内で切り換えられることを特徴とする請求項６に記載の画像通信装置。
【請求項１０】
通信相手先に画像データを送信する画像通信方法において、
前記通信相手先に対して送信が行われた送信済の画像データの内容を、該通信相手先に対応する所定の領域内にページ単位で表示する表示ステップと、
所定の指定操作に基づいて、前記表示ステップで表示された送信済の画像データの内容を切り換える切り換えステップとを有することを特徴とする画像通信方法。
【発明の詳細な説明】
【０００１】
【発明の属する技術分野】
本願発明は画像データの通信を行う画像通信装置及び方法に関するものである。
【０００２】
【従来の技術】
従来画像データを通信するファクシミリ装置等の画像通信装置は１つの表示部に１つの通信相手先に対しての通信状況の表示を行っていた。
【０００３】
【発明が解決しようとする課題】
しかしながら上述のような表示では、複数相手先に並列に画像データの通信を行いたい様な場合があっても、１通信相手先単位で表示を切り換えて各通信相手先の通信状況を確認しなければならないという問題があった。又、従来は送信済の画像データの内容を詳細に表示することが出来ないという問題があった。
【０００４】
以上の問題を解決するため本願発明は複数相手先の夫々に対する通信状況を容易に確認出来る様にすることを目的とする。
【０００５】
又、送信済の画像データの内容を詳細に表示することを別の目的とする。
【０００６】
【課題を解決するための手段】
かかる課題を解決するため、本発明の画像通信装置は、複数の通信相手先に画像データを並列に送信することが可能な画像通信装置において、
１画面内に複数の通信相手先の情報を表示する表示手段と、
前記表示手段により表示された複数の通信相手先の夫々に対し、該通信相手先の夫々に対する送信対象の画像データの縮小サイズの画像を割り当てて表示する様に制御する制御手段とを有することを特徴とすることを特徴とする。
【０００７】
又、請求項６に記載の画像通信装置は、複数の通信相手先に並列に画像を通信することが可能な画像通信装置において、１画面内に複数の通信相手先の情報を表示する表示手段と、前記表示手段により表示された複数の通信相手先の夫々に対し、該通信相手先の夫々に送信された画像データの縮小サイズの画像を割り当てて表示する様に制御する制御手段とを有することを特徴とする。
【０００８】
又、請求項１２に記載の画像通信装置は、通信相手先に画像データを送信する画像通信装置において、前記通信相手先に対して送信が行われた送信済の画像データの内容を、該通信相手先に対応する所定の領域内にページ単位で表示する表示手段と、所定の指定操作に基づいて、前記表示手段で表示された送信済の画像データの内容を切り換える切り換え手段とを有することを特徴とする。
【０００９】
【発明の実施の形態】
（第１の実施の形態）
以下、本願発明の第１の実施の形態を図面に基づき説明する。図１は本願発明の第１の実施の形態に係る画像通信装置の構成を示すブロック図である。
【００１０】
同図において、１は画像通信装置であり、これはＣＰＵ（中央処理装置）２、ＲＯＭ（読み出し専用メモリ）３、ＲＡＭ（読み出し書き込みメモリ）４、記憶部５、ディスプレイ部６、マウス等を代表とするキー入力部７及び通信部８から構成される。
【００１１】
又、これらの部分は、システムバス９を介して接続されている。１０は他の画像通信装置（以下、通信相手先）との通信を行うための通信回線であり、通信部８に接続されている。又、インターフェイス部１１はスキャナ１２、プリンタ１３等の外部装置と接続して画像データのやり取りが可能である。
【００１２】
ＣＰＵ２は本画像通信装置１の全体を制御するものである。ＲＯＭ３は、ＣＰＵ２が動作するのに必要となる制御プログラムや定数データを記憶する。ＲＡＭ４は各種の制御変数や送受信データを一時記憶する。
【００１３】
記憶部５は送受信するデータを記憶しておく為のものであり例えばハードディスク装置等が用いられる。
【００１４】
ディスプレイ部６は、後述する通信相手先の宛先情報、通信状況、送信済の画像データ及び送信可能な画像データの内容を表示するものである。キー入力部７には、本実施の形態ではマウスを用いることとし、操作者の指示入力を受け付けるものである。
【００１５】
通信部８は、通信回路１０を介して通信相手先とデータの送受信を行うものである。
【００１６】
図２は画像通信装置１が画像データを通信相手先に送信する際にディスプレイ部６に表示される画面の一例を示す図である。ここで画像データは記憶部５に格納されたものでも、スキャナ１２から入力されたものでも良い。
【００１７】
図２において２１はディスプレイ部６の全体画面であり、２２ａ、２２ｂ、２２ｃ、２２ｄは送信可能な画像データの内容を１又は複数ページからなるグループ毎に表示する文書内容アイコンであり、ここには主に１ページ目の表紙が表示される。又、２ページ目、３ページ目に切り換えることも可能である。
【００１８】
２３ａ、２３ｂ、２３ｃは通信相手先の情報（宛先情報）を表示する宛先情報領域、２４は１つの宛先情報毎に付属する通信状況インジケータ、２５は送信が完了した際にこの送信済の画像データの内容（文書内容アイコンを更に縮小したもの）を表示する送信済画像アイコンである。
【００１９】
以下に図２の画面の各部の関係について更に詳細に説明する。
【００２０】
図３において宛先情報領域２３ａは宛先情報の表示領域であり、この領域内には通信相手先の人の顔や名前、又は住所や電話番号等、通信相手先が一目で確認できる画面が表示される。
【００２１】
送信済画像アイコン２５は送信が完了したページの画像データの内容を表示するものであり、このアイコンを操作者が選択（マウスでクリック）した場合に他の送信済のページの画像データ内容を表示する様に表示を切り換えることが可能である。これについては後述する。
【００２２】
次に以上で説明したディスプレイ部６への画面を用いて画像データを送信する際の動作の流れを図４のフローチャートを用いて説明する。
【００２３】
ステップＳ１において操作者が画像データの送信指示を行う為の画面を呼び出す様にキー入力部７から指定する。続いてＳ２では図２で示したような送信指示が行える画面が表示される。
【００２４】
Ｓ３において操作者はキー入力部７から図２の文書内容アイコン２２ａ、２２ｂ、２２ｃ、２２ｄのうち送信したい画像データのグループを指定する。
【００２５】
この例では文書内容アイコン２２ｂをマウスで指定することとし、そのまま宛先情報領域２３ａに指定先を移動してドラッグ＆ドロップする。この操作により文書内容アイコン２２ｂに対応する数ページの画像データが宛先情報領域２３ａに表示された通信相手先に送信されることになる。
【００２６】
Ｓ４においてＣＰＵ２は通信部８に対してＳ３で操作者に指示された通信相手先との回線の接続を行う指示を示す。そしてこの指示を受けた通信部８は通信回線１０を介して回線の接続を行う。
【００２７】
Ｓ５においてＣＰＵ２は記憶部５に格納済の文書内容アイコン２２ｂに対応する画像データの全ページのページ数や各ページのデータ量を検出し、この結果をＲＡＭ４に格納する。
【００２８】
Ｓ６ではＣＰＵ２はＲＡＭ４にある送信完了ページ変数Ｐを生成してこれに０をセットし、Ｓ７では送信完了ページ変数に１を加算した数のページ、即ち１ページ目の画像データを１バッファ分記憶部５から読み出し、Ｓ８で読み出した画像データを通信部８及び通信回線１０を介して通信相手先に送信する。
【００２９】
Ｓ９では、Ｓ５でＲＡＭ４に格納された画像データの各ページのデータ量のうち送信中のＰページのデータ量に対する送信済データ量の比率を計算して、その比率が通信状況インジケータ２４の１周の長さに対する色付け部分の長さの比率に対応して表示する様に通信状況インジケータ２４の表示制御を行う。これにより通信状況インジケータ２４を１回色付けする度に１ページ分の画像データが送信されたことがリアルタイムにわかる。
【００３０】
Ｓ１０においてＣＰＵ２は送信中のページの画像データが全て送信済かを判断し、まだ残っている場合は再びＳ７に戻りＰ＋１ページ目の画像データの送信が完了するまでＳ７〜Ｓ１０の処理を繰り返す。又、送信中のページの画像データの全てが送信された際にはＳ１１に処理を進める。
【００３１】
Ｓ１１では、ＲＡＭ４に格納されている送信完了ページ変数Ｐに１を加算し、再び格納する。
【００３２】
そしてＳ１２においてＣＰＵ２はＳ１０で送信が完了したページの画像データの内容を送信済アイコン２５として縮小表示する。この表示は各ページの画像データが送信済になる度に同じ場所に上書きされる。
【００３３】
Ｓ１３においてＣＰＵ２はＳ５で格納された全ページのページ数（Ｓ３で指定し画像データのグループの全ページ数）だけ送信したかどうかを確認する。ここでまだ未送信のページがある場合には前記Ｓ７に戻り処理をくり返すことによって送信されるべき全てのページの画像データが送信される。又、全てのページが送信された場合にはＳ１４に進み以上送信処理を終了する。
【００３４】
以上図４の処理の流れにおいて、操作者が指示することにより処理が行われる処理Ａの部分と、本画像通信装置が自動的に処理を行う処理Ｂの部分とに区別することができ、本画像通信装置が処理Ｂを実行している際に操作者が新たに送信指示（処理Ａ）を行うことができる。ここではＣＰＵ２が処理Ｂの部分の処理を複数同時に行う（例えば通信回線から複数相手先に同時に回線を接続する）ことにより、各通信相手先に対する画像通信処理を並列して行え、かつ上述の通信状況インジケータ２４や送信済画像アイコン２５等を用いた通信状況の表示も並列して行うことが出来る。以上の処理によって複数の画像データの通信動作を効率良く行うことが出来る。上述の処理を行った場合のディスプレイ部６の画面の一例を図６に示しておく。
【００３５】
次に送信済画像アイコン２５の表示を切り換える処理について図５のフローチャートを用いて詳細に説明する。
【００３６】
まず、Ｓ２１では、図２に示した画面がディスプレイ部６に表示されている状態でキー入力部７からマウスのクリック操作等により操作者の指示があると、Ｓ２２に進む。Ｓ２２では、マウスでクリックした選択領域が送信済画像アイコン２５の領域かどうかを判断する。
【００３７】
次に、Ｓ２２でアイコン領域内であればＳ２３に進み、そうでなければＳ２１に戻る。Ｓ２３では選択された送信済画像アイコン２５に対応する画像データの送信完了ページ変数Ｐ（図４のＳ１１でＲＡＭ４に格納済）の値をＲＡＭ４から読み出す。
【００３８】
続いてＳ２４でＣＰＵ２は変数Ｐが１より大きいかどうか、即ち送信済の画像データのページが１ページより大きいかどうかを判断する。
【００３９】
ここで変数Ｐの値が０か１ならばアイコン２５に表示されている画像を切り換えるページが存在しないので、Ｓ２１に処理を戻す。又、変数Ｐが１以上の場合にはＳ２５に処理を進める。
【００４０】
Ｓ２５では、ＲＡＭ４に格納される現在表示されているページを示す変数ｈに上述の画像データ全体のページ数を示すＰの値を代入する。Ｓ２６ではＳ２５で代入された変数ｈから１を減算し、ＲＡＭ４に格納する。Ｓ２７ではＳ２６で格納されたｈの値が示すページの画像データの内容を記憶部５から取り出して表示する。即ちＳ２５で表示されていたページの１ページ前の画像データを表示する様に切り換える。
【００４１】
Ｓ２８でＣＰＵ２はキー入力部７から操作者の入力があるのを待ち、再びＳ２２と同様の判断により、選択領域が送信済アイコン２５の領域内であった場合はＳ２９に進み、それ以外の領域を選択した場合にはＳ３１に進む。
【００４２】
Ｓ２９では変数ｈが１かどうか判断し、１以外の場合はＳ２６の処理に戻り、再びページ切り換えを行う。又、変数ｈが１の場合には変数ｈに（Ｐ＋１）を代入してＳ２６に戻る。
【００４３】
Ｓ３１では送信済画像アイコン２５の表示内容をこの一連のページ切り換え処理が行われる前のページ（変数ｈ＝Ｐの時のページ）の画像データの内容に戻して以上の処理を終了する。
【００４４】
以上の実施の形態において、送信するページの順番は表紙の１ページ目からとしているが送信済画像アイコン２５が最終送信ページを表示することを考慮して最終ページから送信する様にしても良い。
【００４５】
又、通信相手先が表紙の１ページ目から画像データを必要としていることを考慮した場合、又その逆に通信相手先が最終ページの画像データから画像データを必要とし、ディスプレイ６に表示されるページの順番は表紙の１ページ目から表示したい様な場合には図７の様に送信ページの順番とディスプレイ部６でのページを表示する順番を逆にしても良い。
【００４６】
【発明の効果】
以上の様に本願発明によれば複数相手先の夫々に対する通信状況を容易に確認出来る。
【００４７】
又、送信済の画像データの内容を詳細に表示することが出来る。
【図面の簡単な説明】
【図１】画像通信装置全体のブロック図。
【図２】ディスプレイ部６の画面の一例を示す図。
【図３】宛先情報の拡大図。
【図４】画像データを送信する際の処理の流れを示す図。
【図５】送信済画像アイコン２５内の表示切り換え処理の流れを示す図。
【図６】複数の通信相手先に通信した際のディスプレイ部６の画面図。
【図７】画像データを送信するページ順序とディスプレイ部６に表示するページ順序との関係を表す図。
【符号の説明】
２  ＣＰＵ
３  ＲＯＭ
４  ＲＡＭ
５  記憶部
６  ディスプレイ部
７  キー入力部
８  通信部
９  システムバス
１０  通信回路
１１  インターフェイス部
１２  スキャナ
１３  プリンタ
【図１】
0003666949.tif 000002
【図２】
0003666949.tif 000003
【図３】
0003666949.tif 000004
【図４】
0003666949.tif 000005
【図５】
0003666949.tif 000006
【図６】
0003666949.tif 000007
【図７】
0003666949.tif 000008